(57)【要約】【課題】正当性を帯びたイメージデータを容易に登録することのできる記録装置および記録装置の制御方法を提供すること。【解決手段】所定の登録フォームを有する登録用紙に記入された情報を、イメージデータとして読み取る光学読取部（スキャナー１０）と、読み取ったイメージデータを登録するデータ登録部と、登録したイメージデータと、当該イメージデータの正当性を示す認証情報と、を合成して印刷データを生成する印刷データ生成部（いずれも主にＣＰＵ２４によって実現される）と、生成した印刷データを記録媒体に印刷する印刷データ印刷部（記録ヘッド１６）と、を備えた。【選択図】図２
2012171265.tif 000002
【特許請求の範囲】
【請求項１】
所定の登録フォームを有する登録用紙に記入された情報を、イメージデータとして読み取る光学読取部と、
読み取った前記イメージデータを登録するデータ登録部と、
登録した前記イメージデータと、当該イメージデータの認証情報と、を合成して印刷データを生成する印刷データ生成部と、
生成した前記印刷データを記録媒体に印刷する印刷データ印刷部と、を備えたことを特徴とする記録装置。
【請求項２】
前記印刷データ生成部は、前記イメージデータの所定の領域を削除し、当該所定の領域に前記認証データの少なくとも一部を挿入して合成することを特徴とする請求項１に記載の記録装置。
【請求項３】
前記印刷データ生成部は、前記イメージデータの所定の領域に前記認証データの少なくとも一部を上書きして合成することを特徴とする請求項１に記載の記録装置。
【請求項４】
前記認証情報は、
前記記録装置固有の記録装置識別情報、前記記録媒体を特定する記録媒体特定情報、前記記録媒体を印刷した時の時刻情報のうちの、少なくとも１つが含まれることを特徴とする請求項１ないし３のいずれかに記載の記録装置。
【請求項５】
前記登録フォームを印刷する登録フォーム印刷部をさらに有していることを特徴とする請求項１ないし４のいずれかに記載の記録装置。
【請求項６】
前記イメージデータを登録するための第１モードと、前記印刷データに基づく印刷を行なう第２モードと、を切り換えるモード切替部を、さらに備えたことを特徴とする請求項１ないし５のいずれかに記載の記録装置。
【請求項７】
１以上の前記イメージデータを記憶するイメージデータ記憶部と、
上位装置から送信されたコマンドを受信するコマンド受信部と、
受信したコマンドにしたがって１以上の前記イメージデータの中から任意のイメージデータを選択するイメージデータ選択部と、をさらに備え、
前記印刷データ生成部は、選択された前記イメージデータと、当該イメージデータの認証情報と、を合成して印刷データを生成することを特徴とする請求項１ないし６のいずれか１項に記載の記録装置。
【請求項８】
記録装置が、
所定の登録フォームを有する登録用紙に記入された情報を、イメージデータとして読み取る光学読取ステップと、
読み取った前記イメージデータを登録するデータ登録ステップと、
登録した前記イメージデータと、当該イメージデータの認証情報と、を合成して印刷データを生成する印刷データ生成ステップと、
生成した前記印刷データを記録媒体に印刷する印刷データ印刷ステップと、を実行することを特徴とする記録装置の制御方法。
【発明の詳細な説明】
【技術分野】
【０００１】
本発明は、新たなイメージデータを自装置に登録することのできる記録装置および記録装置の制御方法に関するものである。
【背景技術】
【０００２】
この種の記録装置として、上位装置から文字登録コマンドを受信して、自装置に文字パターンを登録するものが知られている（特許文献１参照）。この記録装置は、文字登録コマンドに付随して、登録する新しい文字パターンを示す文字情報を上位装置から受信する。この文字情報は、上位装置などの当該記録装置以外で作成される。
【先行技術文献】
【特許文献】
【０００３】
【特許文献１】特開平７−１２５３３７号公報
【発明の概要】
【発明が解決しようとする課題】
【０００４】
さて、複数の書類に同様の印章を捺印する手間を省くため、複数のキャラクタや画像を配置して印影を形取ったイメージデータを、新たなイメージデータとして記録装置に登録したいという要望がある。しかし、このようなイメージデータを登録する場合も、特許文献１に記載の記録装置を用いた場合は、上位装置などの外部装置で専用のソフトを用意して印影のイメージデータを作成し、作成したイメージデータを当該記録装置に取得させる必要がある。よって、所望のイメージデータを登録するまでに、時間と労力を費やさなければならない。また、公証性を要する印影を記録装置に登録して印刷する場合は、印影の偽造などの不正を防ぐために、印影の正当性を示す認証情報を別に記録する必要がある。
【０００５】
本発明は、上記の点に鑑み、公証性を要するもので正当性を帯びたイメージデータを容易に登録することのできる記録装置および記録装置の制御方法を提供することを課題とする。
【課題を解決するための手段】
【０００６】
本発明の記録装置は、所定の登録フォームを有する登録用紙に記入された情報を、イメージデータとして読み取る光学読取部と、読み取ったイメージデータを登録するデータ登録部と、登録したイメージデータと、当該イメージデータの認証情報と、を合成して印刷データを生成する印刷データ生成部と、生成した印刷データを記録媒体に印刷する印刷データ印刷部と、を備えたことを特徴とする。
【０００７】
本発明の記録装置の制御方法は、記録装置が、所定の登録フォームを有する登録用紙に記入された情報を、イメージデータとして読み取る光学読取ステップと、読み取ったイメージデータを登録するデータ登録ステップと、登録したイメージデータと、当該イメージデータの認証情報（公証情報）と、を合成して印刷データを生成する印刷データ生成ステップと、生成した印刷データを記録媒体に印刷する印刷データ印刷ステップと、を実行することを特徴とする。
【０００８】
これらの構成によれば、登録用紙に記入された情報をイメージデータとして登録するため、外部装置から情報を取得する必要なく、記録装置単独で容易にイメージデータを登録することができる。また、登録したイメージデータに公証性のある認証情報を合成することにより、イメージデータのより確実な正当性（公証性）を示すことができると共に認証情報を別に記録する手間を省くことができる。
【０００９】
この場合、印刷データ生成部は、イメージデータの所定の領域を削除し、当該所定の領域に認証データの少なくとも一部を挿入して合成することが好ましい。
【００１０】
または、印刷データ生成部は、イメージデータの所定の領域に認証データの少なくとも一部を上書きして合成することが好ましい。
【００１１】
例えば、印影の中央に変更可能な日付を押印可能な印章を模して印刷することができる。この場合、日付を印刷する領域をイメージデータから削除し、削除した領域に日付の認証情報を合成すればよい。または、イメージデータに対し日付を印刷する領域に日付の認証情報を上書きして合成すればよい。日付の代わりに他の認証情報を合成してもよい。
【００１２】
この場合、認証情報は、記録装置固有の記録装置識別情報、記録媒体を特定する記録媒体特定情報、記録媒体を印刷した時の時刻情報のうちの、少なくとも１つが含まれることが好ましい。
【００１３】
この構成によれば、認証情報が例えば記録装置を識別するための製造番号などのＩＤである場合、印刷物がどの記録装置で印刷されたものなのかを証明することができる。また、例えば、認証情報が記録媒体を特定するための固有のシリアル番号である場合、同じものがないので印刷物自体の正当性を証明することができる。認証情報が印刷時刻であった場合、個々の印刷物の印刷時刻を証明することができる。
【００１４】
この場合、登録フォームを印刷する登録フォーム印刷部をさらに有していることが好ましい。
【００１５】
この構成によれば、別途、登録フォームが印刷された登録用紙を用意する必要がない。
【００１６】
この場合、イメージデータを登録するための第１モードと、印刷データに基づく印刷を行なう第２モードと、を切り換えるモード切替部を、さらに備えたことが好ましい。
【００１７】
これらの構成によれば、記録装置単独で、イメージデータの登録と印刷データに基づく印刷を行なうことができる。また、イメージデータを登録するための登録用紙を印刷することもできるため、当該記録装置のみでイメージデータの登録用紙の準備からイメージデータの印刷までの一連の作業を行うことができる。なお、第１モードにおいて登録フォームの印刷を行うことが望ましい。
【００１８】
この場合、１以上のイメージデータを記憶するイメージデータ記憶部と、上位装置から送信されたコマンドを受信するコマンド受信部と、受信したコマンドにしたがって１以上のイメージデータの中から任意のイメージデータを選択するイメージデータ選択部と、をさらに備え、印刷データ生成部は、選択されたイメージデータと、当該イメージデータの認証情報と、を合成して印刷データを生成することが好ましい。
【００１９】
これらの構成によれば、複数種類のイメージデータを登録し、場合に応じて各イメージデータを使い分けることができる。
【図面の簡単な説明】
【００２０】
【図１】本発明の一実施形態にかかる記録装置の側断面模式図である。
【図２】記録装置の制御構成を示したブロック図である。
【図３】スタンプイメージを登録するための登録フォームが印刷された登録用紙の一例である。
【図４】スタンプイメージが記入された登録用紙を示す図である。
【図５】ホストコンピューターからの印刷コマンドの内容を示した図である。
【図６】（ａ）は、スタンプイメージに対して健診票の発行Ｎｏ．および記録装置の装置ＩＤを挿入可能な位置を示した図であり、（ｂ）は、スタンプイメージが印刷される健診票の一例を示した図である。
【図７】健診票の発行Ｎｏ．および記録装置の装置ＩＤが構成されたスタンプイメージの一例である。
【図８】健診票の発行Ｎｏ．および記録装置の装置ＩＤが構成されたスタンプイメージの一例である。
【図９】スタンプイメージの登録処理を示したフローチャートである。
【図１０】スタンプイメージの印刷処理を示したフローチャートである。
【発明を実施するための形態】
【００２１】
以下、添付の図面を参照し、本発明の一実施形態にかかる記録装置および記録装置の制御方法について説明する。本発明の記録装置は、専用の登録用紙に記入された印影を形取るスタンプイメージを読み取るためのスキャナーと、スタンプイメージを含む印刷データを記録媒体に印刷するための記録ヘッドと、を備えたいわゆる複合機である。本実施形態では、病院において発行される健診票に、当該病院の発行証明印であるスタンプイメージを印刷する場合を例に挙げて説明する。なお、記録装置は、登録用紙に記入されたスタンプイメージに、当該スタンプイメージの正当性を示す認証情報を挿入して印刷する。本実施形態では、認証情報を、「健診票の発行日」、「健診票の発行Ｎｏ．」、および「記録装置の装置ＩＤ」とする。
【００２２】
図１は、本実施形態にかかる記録装置１の側断面を模式的に表したものである。記録装置１は、ケース２で外観が形成され、印刷媒体が手差しで挿入される手差し口３と、媒体搬送経路４を介して向かい合う第１駆動ローラー５ａおよび第１従動ローラー５ｂ、キャリッジユニット６およびプラテン７、第２駆動ローラー８ａおよび第２従動ローラー８ｂ、第３駆動ローラー９ａおよび第３従動ローラー９ｂ、を備えている。また、記録装置１は、第２従動ローラー８ｂおよび第２駆動ローラー８ａと、第３従動ローラー９ｂおよび第３駆動ローラー９ａと、の間に、媒体搬送経路４に対してキャリッジユニット６とは逆側の下方から臨むスキャナー１０を備えている。また、記録装置１は、手差し口３の上部にユーザーが操作を行うための操作パネル１１が備えられている。
【００２３】
操作パネル１１は、図示のように、記録装置１の電源をＯＮ／ＯＦＦする電源スイッチ１２と、記録装置１のモードを、スタンプイメージを登録する「登録モード（第１モード）」と印刷データを印刷する「印刷モード（第２モード）」との間で切り替え操作を行うモード切替ボタン１３と、モードが「登録モード」である場合にスタンプイメージの登録用紙４０（図３参照）を発行する登録用紙発行ボタン１４と、各種メッセージ画面を表示するディスプレイ１５と、を備えている。
【００２４】
キャリッジユニット６は、印刷媒体に印刷を行う記録ヘッド１６と、記録ヘッド１６を搭載したキャリッジ１７と、を有している。キャリッジ１７は、キャリッジガイド軸１８に挿通され、キャリッジ１７を駆動するキャリッジ駆動モーター２１（図２参照）の正逆回転によりタイミングベルトを介して駆動され、Ｘ軸方向（紙面を貫通する方向）に移動する。記録ヘッド１６は、キャリッジ１７と共にＸ軸方向に走査される間に、印刷媒体に対面する先端面備えられたワイヤー突出部（図示省略）からワイヤーを突出させ、印刷媒体に並走するインクリボン（図示省略）に打ち当て、インクリボンを印刷媒体に付着させて印刷を行う。プラテン７は、記録ヘッド１６の先端面に対向して媒体搬送経路４に臨み、付勢ばね（図示省略）によって記録ヘッド１６側に付勢されると共に弾性支持されている。
【００２５】
第１駆動ローラー５ａおよび第１従動ローラー５ｂは、キャリッジユニット６およびプラテン７に対して手差し口３側(上流側)に配設されている。第２従動ローラー８ｂおよび第２駆動ローラー８ａは、媒体搬送経路４においてキャリッジユニット６とスキャナー１０との間に配設されている。第３従動ローラー９ｂおよび第３駆動ローラー９ａ、は、スキャナーよりも下流側に配設されている。第１駆動ローラー５ａ、第２駆動ローラー８ａおよび第３駆動ローラー９ａは、媒体搬送モーター２２（図２参照）によって駆動されるローラーであり、第１駆動ローラー５ａ、第２従動ローラー８ｂおよび第３従動ローラー９ｂは、これら駆動ローラーの回転に付随して回転する。
【００２６】
スキャナー１０は、第２駆動ローラー８ａと第３駆動ローラー９ａとの間に配置され、スキャナー１０上を通過する媒体に記録されている情報を読み取る光学イメージセンサーである。スキャナー１０は、例えば、印刷媒体の読取領域に光を照射する光照射部と、Ｘ軸方向に配列された複数の受光センサーと、を有している。本実施形態では、スキャナー１０は、登録用紙４０に記入されたスタンプイメージを読み取る。
【００２７】
「印刷モード」において、手差し口３から挿入された印刷媒体は、各駆動ローラーの正回転によってＹ軸方向に搬送される。これに対して、Ｘ軸方向にキャリッジユニット６が走査して印刷媒体に印刷が行われる。印刷が終了すると、各駆動ローラーが逆回転して、印刷媒体は、手差し口３から排出される。一方、「登録モード」において、手差し口３から挿入された登録用紙４０は、同様に各駆動ローラーの正回転によってＹ軸方向に搬送される。登録用紙４０がスキャナー１０上を通過する際に、スキャナー１０によって記入されたスタンプイメージが読み取られる。なお、ユーザーは、登録用紙４０をスタンプイメージが記入された面を下にして手差し挿入する。
【００２８】
図２は、記録装置１の制御構成を示したブロック図である。図示のように、記録装置１は、記録ヘッド１６、キャリッジ駆動モーター２１、媒体搬送モーター２２、スキャナー１０、日付認識部２３、ＣＰＵ（Ｃｅｎｔｒａｌ  Ｐｒｏｃｅｓｓｉｎｇ  Ｕｎｉｔ）２４、ＲＡＭ（Ｒａｎｄｏｍ  Ａｃｃｅｓｓ  Ｍｅｍｏｒｙ）２５、ＲＯＭ（Ｒｅａｄ  Ｏｎｌｙ  Ｍｅｍｏｒｙ）２６、通信インターフェース２７、および操作パネル１１、を備え、各構成要素は、図示の通りバス２８によって接続されている。
【００２９】
記録ヘッド１６は、登録用紙４０に登録フォームを印刷する登録フォーム印刷部として、また、印刷媒体に印刷データを印刷する印刷データ印刷部として機能する。スキャナー１０は、上記した通り、登録用紙４０に記入されたスタンプイメージを読み取る光学読取部として機能する。
【００３０】
日付認識部２３は、スキャナー１０が読み取ったスタンプイメージを解析し、健診票発行時に、スタンプイメージに「健診票の発行日」を挿入する位置を示す文字列「ＤＡＴＥ」（図４参照）を検出する。そして、検出した文字列「ＤＡＴＥ」が記入された領域を発行日挿入領域４５として認識する（図６および図７参照）。実際には、記入された文字列「ＤＡＴＥ」の位置、サイズ、文字領域（同図の例では、「Ｄ」の左端から「Ｅ」の右端までの横方向長さと、各文字の縦方向長さの最大値とから特定される矩形領域など）から発行日挿入領域４５の位置、サイズ、アスペクト比等を決定する。
【００３１】
ＲＡＭ２５は、中央処理装置であるＣＰＵ２４と直接接続されており、ＣＰＵ２４が各種制御を行う際のワークエリアとして用いられる。ＲＯＭ２６は、ＣＰＵ２４が各種制御を行うための制御データおよび制御プログラムを記憶している。本実施形態では、登録用紙４０に印刷する登録フォーム（図３参照）を記憶する登録フォーム記憶領域３１、登録したスタンプイメージを記憶するスタンプイメージ記憶領域３２、およびスタンプイメージに対して「健診票の発行Ｎｏ．」および「記録装置の装置ＩＤ」を挿入可能な位置（図６（ａ）参照）を記憶する挿入位置記憶領域３３を有している。また、制御プログラムとしては、スタンプイメージの登録プログラム（データ登録部）、指定されたスタンプイメージに認証情報を挿入する挿入プログラム（イメージデータ選択部および印刷データ生成部）、およびスタンプイメージを含んだ印刷データを印刷する印刷プログラムを記憶している。
【００３２】
通信インターフェース２７は、ホストＰＣ１００と通信を行うためのものであり、本実施形態では、印刷データを含む印刷指令コマンドを受信するコマンド受信部として機能する。
【００３３】
ＣＰＵ２４は、ホストＰＣ１００との通信制御、ディスプレイ１５の表示制御、スキャナー１０の読取動作、並びに印刷動作の駆動制御を行う。
【００３４】
操作パネル１１は、各種ボタンの押下信号をＣＰＵに送信する。本実施形態では、モード切替ボタン１３の押下信号を送信することによって、モード切替部として機能する。また、登録用紙４０に記入されたスタンプイメージから日付情報が検出されなかった場合、例えば「日付情報が記入されていません。もう一度登録用紙を挿入してください。」などのエラーメッセージを表示する。
【００３５】
図３は、スタンプイメージを登録するため登録フォームが印刷された登録用紙４０の一例である。登録フォームは、登録者が所望のスタンプイメージを記入するスタンプイメージ記入領域４１と、スキャナー１０がスタンプイメージを読み取る際の指標となる複数の位置確認マーク４２と、登録者のサインまたは印章を記入するサイン記入領域４３と、当該スタンプイメージの登録Ｎｏ．が印刷されたスタンプ登録Ｎｏ．印刷領域４４と、を有している。登録者は、登録用紙４０のスタンプイメージ記入領域４１に登録するスタンプイメージを記入し、サイン記入領域４３にサインまたは印章を記入する。なお、登録者は、スタンプイメージ記入領域４１に、スタンプイメージに対して「健診票の発行日」を配置させたい所望の領域に、所望の大きさで「ＤＡＴＥ」という文字を記入する。
【００３６】
図４は、登録者によりスタンプイメージを登録するための各情報が記入された登録用紙４０を示している。図示のように、スタンプイメージ記入領域４１には、印影を形取った複数のキャラクタや画像が配置されたイメージが記入される。そして、図示の記入例では、スタンプイメージの中央に文字列「ＤＡＴＥ」が記入されている。当該文字列「ＤＡＴＥ」が日付認識部２３により検出され、発行日挿入領域４５が決定される（図７および図８参照）。なお、スタンプイメージ記入領域４１には、スタンプイメージを手書きで記入してもよいし、既成の印章を押印してもよいし、ＰＣなどで作成したイメージを貼り付けてもよい。そして、サイン記入領域４３には、スタンプイメージの登録者のサイン（図示では、「壱弐参四伍六病院」）が記入されている。
【００３７】
図５は、ホストＰＣ１００から受信する印刷コマンドの内容を示している。図示のように、印刷コマンドには、「印刷する健診票の印刷データ」、「印刷する健診票の発行Ｎｏ．」、「印刷するスタンプイメージの登録Ｎｏ．」、「スタンプイメージに対して健診票の発行Ｎｏ．を挿入する位置」、および「スタンプイメージに対して記録装置の装置ＩＤを挿入する位置」が含まれている。
【００３８】
図６（ａ）は、スタンプイメージに対して「健診票の発行Ｎｏ．」および「記録装置の装置ＩＤ」を挿入可能な挿入位置Ｐ１〜８を示している。ホストＰＣ１００からの印刷コマンドには、「健診票の発行Ｎｏ．」および「記録装置の装置ＩＤ」を挿入する挿入位置を指定する情報が含まれ、記録装置１は、印刷コマンドに従って、スタンプイメージに対して「健診票の発行Ｎｏ．」および「記録装置の装置ＩＤ」を挿入する。同図（ｂ）は、スタンプイメージが印刷される健診票を模式的に示した図である。記録装置１は、認証情報を挿入したスタンプイメージを、所定の縮尺で縮小し、健診票の所定領域に印刷する。
【００３９】
図７および図８は、認証情報である「健診票の発行日」、「健診票の発行Ｎｏ．」および「記録装置の装置ＩＤ」が挿入されたスタンプイメージの一例である。図示のように、登録用紙４０のスタンプイメージ記入領域４１に記入されたスタンプイメージに対して、日付認識部２３が決定した発行日挿入領域４５に「健診票の発行日」が挿入されている。また、受信コマンドにより指定された挿入位置（挿入位置Ｐ３およびＰ７）に「健診票の発行Ｎｏ．」および「記録装置の装置ＩＤ」が挿入されている。このようにして、認証情報が挿入されたスタンプイメージが、健診票の所定領域に印刷される。この場合、取得したスタンプイメージのデータに対し、発行日挿入領域４５の部分を削除し、「健診票の発行日」のデータを挿入する。または、取得したスタンプイメージのデータに対し、発行日挿入領域４５の部分に「健診票の発行日」のデータを上書きする。日付が押印できる印章に模した印影とすることができる。
【００４０】
次に、図９のフローチャートを参照してスタンプイメージの登録処理について説明する。先ず、記録装置１は、モード切替ボタン１３の押下信号受信により「登録モード」にモードを切り替える（Ｓ０１）。そして、登録用紙発行ボタン１４の押下信号を受信すると（Ｓ０２：Ｙｅｓ）、スタンプイメージの登録Ｎｏ．をカウントし（Ｓ０３）、登録フォームおよび登録Ｎｏ．を印刷して登録用紙４０を発行する（Ｓ０４）。そして、スタンプイメージが記入された登録用紙４０が挿入されると（Ｓ０５：Ｙｅｓ）、スタンプイメージを読み取る（Ｓ０６）。読み取ったスタンプイメージを解析し、文字列「ＤＡＴＥ」を検出すると（Ｓ０７：Ｙｅｓ）、当該スタンプイメージの発行日挿入領域４５を決定する（Ｓ０８）。そして、登録用紙４０に印刷された登録Ｎｏ．と、当該スタンプイメージと、発行日挿入領域４５と、を紐付けて記憶する（Ｓ０９）。そして、登録したスタンプイメージを確認用に印刷する（Ｓ１０）。このとき、スタンプイメージに発行日挿入領域４５の位置、サイズ、形を示す枠画像を挿入して印刷することが好ましい。そして、モードを「登録モード」から「通常モード」に切り替えて処理を終了する（Ｓ１１）。一方、読み取ったスタンプイメージから文字列「ＤＡＴＥ」が検出されなかった場合（Ｓ０７：Ｎｏ）、ディスプレイ１５にエラーメッセージを表示して（Ｓ１２）、登録用紙４０を排出する（Ｓ１３）。
【００４１】
なお、Ｓ０２において登録用紙発行ボタン１４の押下信号を受信しなかった場合、登録用紙の発行は行わない。また、Ｓ０５において登録用紙４０が挿入されなかった場合、スタンプイメージの登録を行わずに処理を終了する。これにより、「登録モード」において登録用紙４０の発行のみや、発行済みの登録用紙４０に記入されたスタンプイメージの登録のみを行うことができる。
【００４２】
なお、登録用紙４０の発行は、本実施形態のように専用のボタンを設けずに、ディスプレイ１５の表示に従ってモード切替ボタン１３で行う構成としてもよい。また、登録用紙発行ボタン１４の押下をトリガとしてモードを「登録モード」に切り替える構成としてもよい。
【００４３】
次に、図９のフローチャートを参照して、スタンプイメージを含んだ健診票の印刷処理について説明する。先ず、記録装置１は、ホストＰＣ１００から印刷コマンドを受信すると（Ｓ２１）、印刷コマンドに従って記憶しているスタンプイメージの中から印刷するスタンプイメージを選択する（Ｓ２２）。そして、選択したスタンプイメージの発行日挿入領域４５に、所定サイズの「健診票の発行日」を示す文字列を挿入する（Ｓ２３）。そして、印刷コマンドに従って、スタンプイメージに「健診票の発行Ｎｏ．」および「記録装置の装置ＩＤ」を示す文字列を所定の位置に挿入する（Ｓ２４およびＳ２５）。認証情報を挿入したスタンプイメージを所定の倍率で縮小し（Ｓ２６）、健診票の印刷データに対して所定の位置に配置する（Ｓ２７）。そして、生成した印刷データに基づいて印刷を行う（Ｓ２８）。
【００４４】
上記したように、記録装置１によれば、大量に発行される健診票の一枚一枚に発行証明印を確実に記録することができる。また、手作業で各健診票に印章を押す場合に比べて大幅な時間削減ができる。また、スタンプイメージに認証情報として「記録装置の装置ＩＤ」を挿入することにより、健診票の印刷した場所を証明することができ、健診票の偽造を抑制することができる。
【００４５】
また、上記の記録装置１によれば、スタンプイメージを記録装置１のみで登録することができる。よって、ＰＣなどの外部装置を必要とせずに、容易にスタンプイメージを登録することができる。また、登録用紙４０に手書きでスタンプイメージを記入すれば、ＰＣの仕様などの制限されない自由なデザインをスタンプイメージとして登録できる。
【００４６】
なお、スタンプイメージに対して発行日挿入領域４５を示す位置に文字列「ＤＡＴＥ」ではなく、ＱＲコードを配置してもよい。この場合、登録用紙４０の枠外に予め「健診票の発行日」を印刷する旨の情報を含んだＱＲコードを印刷しておき、登録者が印刷されたＱＲコードを含んだ切り取り領域を切り取って、切り取った切り取り片をスタンプイメージ上の所望の位置に貼り付けるのが望ましい。なお、当該切り取り領域を、実際にスタンプイメージに挿入される発行日挿入領域４５と同一のサイズ、形に設定して印刷すれば、登録者は、切り取り片を貼り付けることで、発行日挿入領域４５の配置を確認することが出来る。
【００４７】
また、登録用紙４０の枠外に予め「健診票の発行日」を情報を含んだＱＲコードを印刷しておき、登録者が印刷されたＱＲコードを含んだ切り取り領域を切り取って、スタンプイメージ上の所望の位置に貼り付けるようにしてもよい。この場合、健診票には、ＱＲコードが挿入されたスタンプイメージが印刷される。これによれば、記録装置１がスタンプイメージを登録する際に発行日挿入領域４５を決定する処理が不要となるため、処理工程を簡易化することができる。なお、発行日を挿入する処理に代わって、「健診票の発行日」を含むＱＲコードの生成処理が必要となる。
【００４８】
また、登録フォームに発行日挿入領域４５を示す文字列「ＤＡＴＥ」やＱＲコードを予め配置し、登録用紙４０に印刷してもよい。これによれば、発行日挿入領域４５の配置を登録者が選択する必要がない。また、記録装置１がスタンプイメージを登録する再に発行日挿入領域４５を決定する処理が不要となるため、処理工程を簡易化することができる。
【００４９】
また、「登録モード」において、現在記録装置１に登録されているスタンプイメージの一覧を登録Ｎｏ．と共に印刷できるようにしてもよい。また、登録したスタンプイメージを消去可能としてもよい。なお、登録するイメージデータは、スタンプイメージに限られるものではなく、外字パターン、絵文字等、そのたのイメージデータに適用可能である。
【００５０】
また、記録装置１に備えられた記録ヘッド１６は、上記の構成に限られるものではなく、インクジェットヘッド等でもよい。また、記録装置１の装置構成についても上記の構成に限られるものではない。
【符号の説明】
【００５１】
１：記録装置  １０：スキャナー  １３：モード切替ボタン  １６：記録ヘッド  ２３：日付認識部  ２４：ＣＰＵ  ２６：ＲＯＭ  ２７：通信インターフェース  ３１：登録フォーム記憶領域  ３２：スタンプイメージ記憶領域  ３３：挿入位置記憶領域  ４０：登録用紙  Ｐ１〜Ｐ８：挿入位置  １００：ホストＰＣ
【図１】
2012171265.tif 000003
【図２】
2012171265.tif 000004
【図３】
2012171265.tif 000005
【図４】
2012171265.tif 000006
【図５】
2012171265.tif 000007
【図６】
2012171265.tif 000008
【図７】
2012171265.tif 000009
【図８】
2012171265.tif 000010
【図９】
2012171265.tif 000011
【図１０】
2012171265.tif 000012